(57)【要約】    【課題】飛行性能に優れたゴルフボール２８の提供。    【解決手段】ゴルフボール２８は、第一側面３２、第二側面３４及び第三側面３６を備えている。第一側面３２は、エッジＥと点Ｐとの間に位置している。第二側面３４は、点Ｐと点Ｑとの間に位置している。第三側面３６は、点Ｑと点Ｒとの間に位置している。各側面３２、３４、３６は、内側に向かって深さ方向に傾斜している。第一側面３２の角度α１は、２．０°以上１１．０°以下である。第二側面３４の角度α２及び第三側面３６の角度α３は、３０．０°以下である。角度α３は、角度α２よりも大きい。角度α２は、角度α１よりも大きい。ゴルフボール２８は、湾曲面３８も備えている。湾曲面３８は、球面の一部である。【選択図】図３
2005152290.tif 000002
【特許請求の範囲】
【請求項１】
その表面に多数のディンプルを備えており、
このディンプルが、エッジから内側に向かって深さ方向に傾斜する側面を有する円錐台部を備えており、
この側面の半径方向に対する角度α１が２．０°以上１１．０°以下であるゴルフボール。
【請求項２】
上記ディンプルが、その中心に位置する碗状部を備えている請求項１に記載のゴルフボール。
【請求項３】
その表面に多数のディンプルを備えており、このディンプルが、
（１）エッジから内側に向かって深さ方向に傾斜する側面を有する第一円錐台部、
（２）内側に向かって深さ方向に傾斜する側面を有し、かつ第一円錐台部と連続する第二    円錐台部
及び
（３）その中心に位置する碗状部
を備えており、
この第一円錐台部の側面の半径方向に対する角度α１が２．０°以上１１．０°以下であるゴルフボール。
【請求項４】
上記第二円錐台部の側面の半径方向に対する角度α２が角度α１より大きく、かつ角度α２が３０．０°以下である請求項３に記載のゴルフボール。
【請求項５】
その表面に多数のディンプルを備えており、このディンプルが、
（１）エッジから内側に向かって深さ方向に傾斜する側面を有する第一円錐台部、
（２）内側に向かって深さ方向に傾斜する側面を有し、かつ第一円錐台部と連続する第二    円錐台部、
（３）内側に向かって深さ方向に傾斜する側面を有し、かつ第二円錐台部と連続する第三    円錐台部
及び
（４）その中心に位置する碗状部
を備えており、
この第一円錐台部の側面の半径方向に対する角度α１が２．０°以上１１．０°以下であるゴルフボール。
【請求項６】
上記第二円錐台部の側面の半径方向に対する角度α２が角度α１より大きく、かつ角度α２が３０．０°以下であり、
上記第三円錐台部の側面の半径方向に対する角度α３が角度α２より大きく、かつ角度α３が３０．０°以下である請求項５に記載のゴルフボール。
【発明の詳細な説明】
【技術分野】
【０００１】
本発明は、ゴルフボールのディンプルに関する。詳細には、本発明は、ディンプルの形状の改良に関する。
【背景技術】
【０００２】
ゴルフボールは、その表面に多数のディンプルを備えている。ディンプルの役割は、飛行時のゴルフボール周りの空気の流れを乱すことによって乱流剥離を起こさせることにある。この役割は、「ディンプル効果」と称される。乱流剥離によって空気のゴルフボールからの剥離点が後方にシフトし、抗力が低減される。乱流剥離によってバックスピンに起因するゴルフボールの上側剥離点と下側剥離点とのズレが助長され、ゴルフボールに作用する揚力が高められる。優れたディンプルは、よりよく空気の流れを乱す。
【０００３】
ディンプルの断面形状は、飛行性能に影響する。飛行性能向上が意図されたディンプルの断面形状の改良が、種々提案されている。特開平３−１９８８７５号公報には、その形状が円錐台であるディンプルを備えたゴルフボールが開示されている。特開平５−９６０２６号公報には、エッジ近傍のスロープの傾斜が大きく、中心近傍のスロープの傾斜が小さなディンプルが開示されている。
【特許文献１】特開平３−１９８８７５号公報
【特許文献２】特開平５−９６０２６号公報
【発明の開示】
【発明が解決しようとする課題】
【０００４】
ゴルフボールに対するゴルファーの最大の関心事は、飛距離である。飛行性能の観点から、ディンプルの断面形状には改良の余地がある。本発明の目的は、飛行性能に優れたゴルフボールの提供にある。
【課題を解決するための手段】
【０００５】
本発明に係るゴルフボールは、その表面に多数のディンプルを備えている。このディンプルは、エッジから内側に向かって深さ方向に傾斜する側面を有する円錐台部を備えている。この側面の半径方向に対する角度α１は、２．０°以上１１．０°以下である。好ましくは、ディンプルは、その中心に位置する碗状部を備える。
【０００６】
他の発明に係るゴルフボールは、その表面に多数のディンプルを備えている。このディンプルは、
（１）エッジから内側に向かって深さ方向に傾斜する側面を有する第一円錐台部、
（２）内側に向かって深さ方向に傾斜する側面を有し、かつ第一円錐台部と連続する第二    円錐台部
及び
（３）その中心に位置する碗状部
を備えている。この第一円錐台部の側面の半径方向に対する角度α１は、２．０°以上１１．０°以下である。好ましくは、第二円錐台部の側面の半径方向に対する角度α２は、角度α１より大きい。角度α２は、３０．０°以下である。
【０００７】
さらに他の発明に係るゴルフボールは、その表面に多数のディンプルを備えている。このディンプルは、
（１）エッジから内側に向かって深さ方向に傾斜する側面を有する第一円錐台部、
（２）内側に向かって深さ方向に傾斜する側面を有し、かつ第一円錐台部と連続する第二    円錐台部、
（３）内側に向かって深さ方向に傾斜する側面を有し、かつ第二円錐台部と連続する第三    円錐台部
及び
（４）その中心に位置する碗状部
を備えている。この第一円錐台部の側面の半径方向に対する角度α１は、２．０°以上１１．０°以下である。好ましくは、第二円錐台部の側面の半径方向に対する角度α２は、角度α１より大きい。角度α２は、３０．０°以下である。第三円錐台部の側面の半径方向に対する角度α３は、角度α２より大きい。角度α３は、３０．０°以下である。
【発明の効果】
【０００８】
このゴルフボールでは、角度α１が小さな第一円錐台部が、ディンプル内への円滑な空気の流れ込みを促進する。このゴルフボールでは、優れたディンプル効果が発揮される。このゴルフボールは、飛行性能に優れる。
【発明を実施するための最良の形態】
【０００９】
以下、適宜図面が参照されつつ、好ましい実施形態に基づいて本発明が詳細に説明される。
【００１０】
図１は、本発明の一実施形態に係るゴルフボール２が示された模式的断面図である。このゴルフボール２は、球状のコア４と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。
【００１１】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上が特に好ましい。ＵＳＧＡの規格が満たされるとの観点から、質量は４５．９３ｇ以下が好ましい。
【００１２】
図２は、図１のゴルフボール２が示された拡大正面図である。図２から明らかなように、全てのディンプル８の平面形状は円形である。図２では、ゴルフボール２の表面が１６個の等価なユニットに区画された場合の１個のユニットにおいて、符号Ａ及びＢによってディンプル８の種類が示されている。このゴルフボール２は、直径が４．６５ｍｍであるディンプルＡと、直径が３．５０ｍｍであるディンプルＢとを備えている。ディンプルＡの個数は１６８個であり、ディンプルＢの個数は１６８個である。このゴルフボール２のディンプル８の総数は、３３６個である。図２では、ディンプルの内部のエッジは画かれていない。
【００１３】
図３は、図１のゴルフボール２の一部が示された拡大断面図である。この図には、ディンプル８の最深点Ｂｔ及びゴルフボール２の中心を通過する面が示されている。図３における上から下に向かう方向は、ディンプル８の深さ方向である。深さ方向は、ディンプル８の面積重心からゴルフボール２の中心へ向かう方向である。図３における左右方向は、ディンプル８の半径方向である。図３において二点鎖線１２で示されているのは、仮想球である。仮想球１２の表面は、ディンプル８が存在しないと仮定されたときのゴルフボール２の表面である。ディンプル８は、仮想球１２から凹陥している。ランド１０は、仮想球１２と一致している。
【００１４】
図３には、側面１４が画かれている。側面１４は、環状である。図３では側面１４が線分として画かれている。側面１４は、点Ｅと点Ｐとの間に位置している。点Ｅは、ディンプル８のエッジである。エッジＥは、ディンプル８とランド１０との境界である。エッジＥは、ディンプル８の平面形状を画定する。側面１４は、エッジＥから内側に向かって深さ方向に傾斜している。
【００１５】
図３には、湾曲面１６も画かれている。湾曲面１６は、点Ｐよりも下方に位置している。点Ｐは、側面１４と湾曲面１６との境界である。湾曲面１６は、ディンプル８の中心に位置している。湾曲面１６は、球面の一部である。図３では、湾曲面１６は曲率半径ｒを有する円弧として画かれている。湾曲面１６は、下向きに凸である。湾曲面１６が、複数の曲率半径を有してもよい。
【００１６】
図３において符号Ｌ１で示されているのは、両側のエッジＥを結ぶ線分である。符号Ｌ２で示されているのは、両側の点Ｐを結ぶ線分である。線分Ｌ１を含む水平面と、線分Ｌ２を含む水平面と、側面１４とにより、円錐台部が形成される。線分Ｌ１の長さは、円錐台部の底面の直径である。線分Ｌ１の長さは、ディンプル８の直径でもある。線分Ｌ２を含む水平面と、湾曲面１６とにより、碗状部が形成される。線分Ｌ２の長さは、碗状部の直径である。本明細書において水平面とは、深さ方向と直交する平面である。
【００１７】
線分Ｌ１と線分Ｌ２との距離は、円錐台部の高さである。線分Ｌ２と最深点Ｂｔとの距離は、碗状部の高さである。円錐台部の高さと碗状部の高さとの合計は、ディンプル８の深さである。円錐台部の体積と碗状部の体積との合計は、ディンプル８の容積である。
【００１８】
図４は、図３のゴルフボール２がさらに拡大された断面図である。図４において矢印α１で示されているのは、半径方向に対する側面１４の角度である。角度α１は、１１．０°以下である。角度α１は、極めて小さい。このディンプル８では、ランド１０から側面１４に沿って最深点Ｂｔへ向かう空気が剥離を起こしにくい。空気は円滑に碗状部に流れ込む。湾曲面１６の断面形状は前述のように円弧なので、碗状部に流れ込んだ空気は湾曲面１６に沿って円滑に流れ出す。これにより、大きなディンプル効果が得られる。換言すれば、円錐台部及び碗状部は、ゴルフボール２の飛行性能に寄与する。
【００１９】
飛行性能の観点から、角度α１は１０．０°以下がより好ましく、９．０°以下が特に好ましい。角度α１が小さすぎると、側面１４から碗状部へと流れ込む空気が、点Ｐの近傍で剥離を起こす。剥離が生じると、十分なディンプル効果が得られない。この観点から、角度α１は２．０°以上が好ましく、３．０°以上がより好ましく、４．０°以上が特に好ましい。
【００２０】
湾曲面１６の曲率半径ｒは、１ｍｍ以上６０ｍｍ以下が好ましい。曲率半径ｒが上記範囲未満であると、ゴルフボール２がゴルフ場で使用されたときに、ディンプル８に砂塵がつまりやすい。この観点から、曲率半径ｒは３ｍｍ以上がより好ましく、４ｍｍ以上が特に好ましい。曲率半径ｒが上記範囲を越えると、碗状部における空気の流れが円滑でなくなることがある。この観点から、曲率半径ｒは５７ｍｍ以下がより好ましく、５４ｍｍ以下が特に好ましい。
【００２１】
１つの円錐台部と１つの碗状部とからなるディンプル８の場合、飛行性能の観点から、円錐台部及び碗状部のそれぞれの容積は、ディンプル８の容積の５％以上９５％以下が好ましい。円錐台部及び碗状部のそれぞれの容積は、ディンプル８の容積の１５％以上がより好ましく、２０％以上が特に好ましい。
【００２２】
１つの円錐台部と１つの碗状部とからなるディンプル８の場合、飛行性能の観点から、円錐台部及び碗状部のそれぞれの高さは０．０４ｍｍ以上が好ましく、０．０６ｍｍ以上がより好ましい。
【００２３】
ディンプル８の直径は、２．００ｍｍ以上６．０ｍｍ以下が好ましい。直径が上記範囲未満であると、ディンプル効果が得られにくい。この観点から、直径は２．２０ｍｍ以上がより好ましく、２．４０ｍｍ以上が特に好ましい。直径が上記範囲を超えると、実質的に球であるというゴルフボール２の本来的特徴が損なわれる。この観点から、直径は５．８ｍｍ以下がより好ましく、５．６ｍｍ以下が特に好ましい。
【００２４】
線分Ｌ１を直径とする円の面積は、ディンプル８の面積ｓである。図１から図４に示されたゴルフボール２では、ディンプルＡの面積は１６．６２ｍｍ２であり、ディンプルＢの面積は９．６２ｍｍ２である。全てのディンプル８の合計面積が仮想球１２の表面積に占める比率は、占有率と称される。十分なディンプル効果が得られるとの観点から、占有率は７０％以上が好ましく、７２％以上がより好ましく、７４％以上が特に好ましい。占有率は、９０％以下が好ましく、８８％以下が好ましく、８６％以下が好ましい。図１から図４に示されたゴルフボール２では、ディンプル８の合計面積は４４０８．３ｍｍ２である。このゴルフボール２の仮想球１２の表面積は５７２８．０ｍｍ２なので、占有率は７７．０％である。
【００２５】
ディンプル８の深さは、０．０５ｍｍ以上０．６０ｍｍ以下が好ましい。深さが上記範囲未満であると、ホップする弾道となることがある。この観点から、深さは０．０８ｍｍ以上がより好ましく、０．１０ｍｍ以上が特に好ましい。深さが上記範囲を超えると、ドロップする弾道となることがある。この観点から、深さは０．４５ｍｍ以下がより好ましく、０．４０ｍｍ以下が特に好ましい。
【００２６】
ディンプル８の総容積は、２５０ｍｍ３以上４００ｍｍ３以下が好ましい。総容積が上記範囲未満であると、ホップする弾道となることがある。この観点から、総容積は２６０ｍｍ３以上がより好ましく、２７０ｍｍ３以上が特に好ましい。総容積が上記範囲を超えると、ドロップする弾道となるおそれがある。この観点から、総容積は３９０ｍｍ３以下がより好ましく、３８０ｍｍ３以下が特に好ましい。
【００２７】
ディンプル８の総数は、２００個以上５００個以下が好ましい。総数が上記範囲未満であると、ディンプル効果が得られにくい。この観点から、総数は２４０個以上がより好ましく、２６０個以上が特に好ましい。総数が上記範囲を超えると、個々のディンプル８のサイズが小さいことに起因してディンプル効果が得られにくい。この観点から、総数は４８０個以下がより好ましく、４６０個以下が特に好ましい。
【００２８】
ゴルフボール２に、側面１４及び碗状部を備えたディンプル８と他のディンプルとが混在してもよい。この場合、側面１４及び碗状部を備えたディンプル８の数がディンプルの総数に占める比率は５０％以上が好ましく、７０％以上がより好ましく、１００％が特に好ましい。
【００２９】
図５は、本発明の他の実施形態に係るゴルフボール１８の一部が示された断面図である。このゴルフボール１８は、ディンプル２０を備えている。この図５には、ディンプル２０の最深点Ｂｔ及びゴルフボール１８の中心を通過する面が示されている。図５には、第一側面２２及び第二側面２４が画かれている。第一側面２２及び第二側面２４は、環状である。図５では第一側面２２及び第二側面２４が線分として画かれている。第一側面２２は、エッジＥと点Ｐとの間に位置している。第一側面２２は、エッジＥから内側に向かって深さ方向に傾斜している。第二側面２４は、点Ｐと点Ｑとの間に位置している。第二側面２４は、点Ｐにおいて、第一側面２２と連続している。第二側面２４は、点Ｐから内側に向かって深さ方向に傾斜している。
【００３０】
図５には、湾曲面２６も画かれている。湾曲面２６は、点Ｑよりも下方に位置している。点Ｑは、第二側面２４と湾曲面２６との境界である。湾曲面２６は、ディンプル２０の中心に位置している。湾曲面２６は、球面の一部である。図５では、湾曲面２６は円弧として画かれている。湾曲面２６は、下向きに凸である。湾曲面２６が、複数の曲率半径を有してもよい。
【００３１】
図５において符号Ｌ１で示されているのは、両側のエッジＥを結ぶ線分である。符号Ｌ２で示されているのは、両側の点Ｐを結ぶ線分である。符号Ｌ３で示されているのは、両側の点Ｑを結ぶ線分である。線分Ｌ１を含む水平面と、線分Ｌ２を含む水平面と、第一側面２２とにより、第一円錐台部が形成される。線分Ｌ１の長さは、第一円錐台部の底面の直径である。線分Ｌ１の長さは、ディンプル２０の直径でもある。線分Ｌ２を含む水平面と、線分Ｌ３を含む水平面と、第二側面２４とにより、第二円錐台部が形成される。線分Ｌ２の長さは、第二円錐台部の底面の直径である。線分Ｌ３を含む水平面と、湾曲面２６とにより、碗状部が形成される。線分Ｌ３の長さは、碗状部の直径である。
【００３２】
線分Ｌ１と線分Ｌ２との距離は、第一円錐台部の高さである。線分Ｌ２と線分Ｌ３との距離は、第二円錐台部の高さである。線分Ｌ３と最深点Ｂｔとの距離は、碗状部の高さである。第一円錐台部の高さ、第二円錐台部の高さ及び碗状部の高さの合計は、ディンプル２０の深さである。第一円錐台部の体積、第二円錐台部の体積及び碗状部の体積の合計は、ディンプル２０の容積である。
【００３３】
図６は、図５のゴルフボール１８がさらに拡大された断面図である。図６において矢印α１で示されているのは、半径方向に対する第一側面２２の角度である。角度α１は、１１．０°以下である。角度α１は、極めて小さい。このディンプル２０では、ランド２７から第一側面２２に沿って最深点Ｂｔへ向かう空気が剥離を起こしにくい。この観点から、角度α１は１０．０°以下がより好ましく、９．０°以下が特に好ましい。角度α１が小さすぎると、第一側面２２から碗状部に向かう空気が、点Ｐの近傍で剥離を起こす。剥離が生じると、十分なディンプル効果が得られない。この観点から、角度α１は２．０°以上が好ましく、３．０°以上がより好ましく、４．０°以上が特に好ましい。
【００３４】
図６において矢印α２で示されているのは、半径方向に対する第二側面２４の角度である。空気は、ランド２７から第一側面２２及び第二側面２４を経て、碗状部に流れ込む。空気の剥離の抑制の観点から、角度α２は３０．０°以下が好ましく、２０．０°以下がより好ましい。角度α２が角度α１よりも大きいことが好ましい。角度α２が角度α１よりも大きいことにより、第一側面２２、第二側面２４及び湾曲面２６に沿って空気が徐々に方向を変える。これにより、剥離が抑制される。剥離抑制の観点から、（α２−α１）は１．０°以上が好ましく、２．０°以上がより好ましい。
【００３５】
湾曲面２６の曲率半径は、１ｍｍ以上６０ｍｍ以下が好ましい。曲率半径が上記範囲未満であると、ゴルフボール１８がゴルフ場で使用されたときに、ディンプル２０に砂塵がつまりやすい。この観点から、曲率半径は３ｍｍ以上がより好ましく、４ｍｍ以上が特に好ましい。曲率半径が上記範囲を越えると、碗状部における空気の流れが円滑でなくなることがある。この観点から、曲率半径は５７ｍｍ以下がより好ましく、５４ｍｍ以下が特に好ましい。
【００３６】
第一円錐台部、第二円錐台部及び碗状部からなるディンプル２０の場合、飛行性能の観点から、第一円錐台部、第二円錐台部及び碗状部のそれぞれの容積は、ディンプル２０の容積の３％以上９５％以下が好ましい。第一円錐台部、第二円錐台部及び碗状部のそれぞれの容積は、ディンプル２０の容積の４％以上がより好ましく、５％以上が特に好ましい。
【００３７】
第一円錐台部、第二円錐台部及び碗状部からなるディンプル２０の場合、飛行性能の観点から、第一円錐台部、第二円錐台部及び碗状部のそれぞれの高さは０．０３ｍｍ以上が好ましく、０．０５ｍｍ以上がより好ましい。
【００３８】
図７は、本発明のさらに他の実施形態に係るゴルフボール２８の一部が示された断面図である。このゴルフボール２８は、ディンプル３０を備えている。この図７には、ディンプル３０の最深点Ｂｔ及びゴルフボール２８の中心を通過する面が示されている。図７には、第一側面３２、第二側面３４及び第三側面３６が画かれている。第一側面３２、第二側面３４及び第三側面３６は、環状である。図７では、第一側面３２、第二側面３４及び第三側面３６が線分として画かれている。第一側面３２は、エッジＥと点Ｐとの間に位置している。第一側面３２は、エッジＥから内側に向かって深さ方向に傾斜している。第二側面３４は、点Ｐと点Ｑとの間に位置している。第二側面３４は、点Ｐにおいて、第一側面３２と連続している。第二側面３４は、点Ｐから内側に向かって深さ方向に傾斜している。第三側面３６は、点Ｑと点Ｒとの間に位置している。第三側面３６は、点Ｑにおいて、第二側面３４と連続している。第三側面３６は、点Ｑから内側に向かって深さ方向に傾斜している。
【００３９】
図７には、湾曲面３８も画かれている。湾曲面３８は、点Ｒよりも下方に位置している。点Ｒは、第三側面３６と湾曲面３８との境界である。湾曲面３８は、ディンプル３０の中心に位置している。湾曲面３８は、球面の一部である。図７では、湾曲面３８は円弧として画かれている。湾曲面３８は、下向きに凸である。湾曲面３８が、複数の曲率半径を有してもよい。
【００４０】
図７において符号Ｌ１で示されているのは、両側のエッジＥを結ぶ線分である。符号Ｌ２で示されているのは、両側の点Ｐを結ぶ線分である。符号Ｌ３で示されているのは、両側の点Ｑを結ぶ線分である。符号Ｌ４で示されているのは、両側の点Ｒを結ぶ線分である。線分Ｌ１を含む水平面と、線分Ｌ２を含む水平面と、第一側面３２とにより、第一円錐台部が形成される。線分Ｌ１の長さは、第一円錐台部の底面の直径である。線分Ｌ１の長さは、ディンプル３０の直径でもある。線分Ｌ２を含む水平面と、線分Ｌ３を含む水平面と、第二側面３４とにより、第二円錐台部が形成される。線分Ｌ２の長さは、第二円錐台部の底面の直径である。線分Ｌ３を含む水平面と、線分Ｌ４を含む水平面と、第三側面３６とにより、第三円錐台部が形成される。線分Ｌ３の長さは、第三円錐台部の底面の直径である。線分Ｌ４を含む水平面と、湾曲面３８とにより、碗状部が形成される。線分Ｌ４の長さは、碗状部の直径である。
【００４１】
線分Ｌ１と線分Ｌ２との距離は、第一円錐台部の高さである。線分Ｌ２と線分Ｌ３との距離は、第二円錐台部の高さである。線分Ｌ３と線分Ｌ４との距離は、第三円錐台部の高さである。線分Ｌ４と最深点Ｂｔとの距離は、碗状部の高さである。第一円錐台部の高さ、第二円錐台部の高さ、第三円錐台部の高さ及び碗状部の高さの合計は、ディンプル３０の深さである。第一円錐台部の体積、第二円錐台部の体積、第三円錐台部の体積及び碗状部の体積の合計は、ディンプル３０の容積である。
【００４２】
図８は、図７のゴルフボール２８がさらに拡大された断面図である。図８において矢印α１で示されているのは、半径方向に対する第一側面３２の角度である。角度α１は、１１．０°以下である。角度α１は、極めて小さい。このディンプル３０では、ランド４０から第一側面３２に沿って最深点Ｂｔへ向かう空気が剥離を起こしにくい。この観点から、角度α１は１０．０°以下がより好ましく、９．０°以下が特に好ましい。角度α１が小さすぎると、第一側面３２から碗状部へと向かう空気が、点Ｐの近傍で剥離を起こす。剥離が生じると、十分なディンプル効果が得られない。この観点から、角度α１は２．０°以上が好ましく、３．０°以上がより好ましく、４．０°以上が特に好ましい。
【００４３】
図８において、矢印α２で示されているのは半径方向に対する第二側面３４の角度であり、矢印α３で示されているのは半径方向に対する第三側面３６の角度である。空気は、ランド４０から第一側面３２、第二側面３４及び第三側面３６を経て、碗状部に流れ込む。空気の剥離の抑制の観点から、角度α２及び角度α３は３０．０°以下が好ましく、２０．０°以下がより好ましい。角度α２が角度α１よりも大きく、角度α３が角度α２よりも大きいことが好ましい。これにより、第一側面３２、第二側面３４、第三側面３６及び湾曲面３８に沿って空気が徐々に方向を変える。これにより、空気の剥離が抑制される。剥離抑制の観点から、（α２−α１）及び（α３−α２）は１．０°以上が好ましく、２．０°以上がより好ましい。
【００４４】
湾曲面３８の曲率半径は、１ｍｍ以上６０ｍｍ以下が好ましい。曲率半径が上記範囲未満であると、ゴルフボール２８がゴルフ場で使用されたときに、ディンプル３０に砂塵がつまりやすい。この観点から、曲率半径は３ｍｍ以上がより好ましく、４ｍｍ以上が特に好ましい。曲率半径が上記範囲を越えると、碗状部における空気の流れが円滑でなくなることがある。この観点から、曲率半径は５７ｍｍ以下がより好ましく、５４ｍｍ以下が特に好ましい。
【００４５】
第一円錐台部、第二円錐台部、第三円錐台部及び碗状部からなるディンプル３０の場合、飛行性能の観点から、第一円錐台部、第二円錐台部、第三円錐台部及び碗状部のそれぞれの容積は、ディンプル３０容積の２％以上９５％以下が好ましい。第一円錐台部、第二円錐台部、第三円錐台部及び碗状部のそれぞれの容積は、ディンプル３０容積の３％以上がより好ましく、４％以上が特に好ましい。
【００４６】
第一円錐台部、第二円錐台部、第三円錐台部及び碗状部からなるディンプル３０の場合、飛行性能の観点から、第一円錐台部、第二円錐台部、第三円錐台部及び碗状部のそれぞれの高さは０．０２ｍｍ以上が好ましく、０．０４ｍｍ以上がより好ましい。
【００４７】
ディンプルが、４以上の円錐台部と１つの碗状部とを備えてもよい。この場合も、エッジに近い円錐台部ほど側面の傾斜角度が小さいことが好ましい。最もエッジに近い側面の傾斜角度は、２．０°以上１１．０°以下が好ましい。各円錐台部の高さは、０．０２ｍｍ以上が好ましい。
【実施例】
【００４８】
以下、実施例によって本発明の効果が明らかにされるが、この実施例の記載に基づいて本発明が限定的に解釈されるべきではない。
【００４９】
［実施例１］
ポリブタジエン（ジェイエスアール社の商品名「ＢＲ−１１」）１００質量部、アクリル酸亜鉛２４質量部、酸化亜鉛１０質量部、硫酸バリウム２５質量部及びジクミルパーオキサイド０．８質量部を混練し、ゴム組成物を得た。このゴム組成物を共に半球状キャビティを備えた上型及び下型からなる金型に投入し、１６０℃の温度下で２０分間加熱して、直径が３８．３ｍｍのコアを得た。一方、アイオノマー樹脂（三井・デュポンポリケミカル社の商品名「ハイミラン１６０５」）５０質量部、他のアイオノマー樹脂（三井・デュポンポリケミカル社の商品名「ハイミラン１７０６」）５０質量部及び二酸化チタン３質量部を混練し、樹脂組成物を得た。上記コアを、内周面に多数の突起を備えた金型に投入し、コアの周囲に上記樹脂組成物を射出成形法にて注入して、厚みが２．２ｍｍであるカバーを成形した。カバーには、突起の形状が反転した形状のディンプルが多数形成された。このカバーに塗装を施して、直径が約４２．７ｍｍであり、コンプレッションが約８５である実施例１のゴルフボールを得た。このゴルフボールのディンプル仕様が、下記表１に示されている。各ディンプルは、図７及び図８に示される断面形状を備える。各ディンプルは、第一円錐台部、第二円錐台部、第三円錐台部及び碗状部を備える。
【００５０】
［実施例２から５及び比較例１から３］
金型を変形してディンプルの仕様を下記の表１及び表２に示される通りとした他は実施例１と同様にして、実施例２から５及び比較例１から３のゴルフボールを得た。
【００５１】
【表１】
2005152290.tif 000003
【００５２】
【表２】
2005152290.tif 000004
【００５３】
［飛距離テスト］
ツルテンパー社のスイングマシンに、ドライバー（住友ゴム工業株式会社の商品名「ＸＸＩＯ」、シャフト硬度：Ｘ）を装着した。ヘッド速度が約４９ｍ／ｓｅｃであり、バックスピン速度が約３０００ｒｐｍであり、打ち出し角度が約１１°となるようにマシン条件を設定し、ゴルフボールを打撃して、発射地点から静止地点までの距離を測定した。測定時は、ほぼ無風であった。２０回の測定の平均値が、下記の表３に示されている。
【００５４】
【表３】
2005152290.tif 000005
【００５５】
表３において、実施例のゴルフボールの飛距離は、比較例のゴルフボールの飛距離よりも大きい。この評価結果から、本発明の優位性は明らかである。
【産業上の利用可能性】
【００５６】
本発明に係るゴルフボールは、ツーピースゴルフボールのみならず、ワンピースゴルフボール、マルチピースゴルフボール及び糸巻きゴルフボールにも適用されうる。
【図面の簡単な説明】
【００５７】
【図１】図１は、本発明の一実施形態に係るゴルフボールが示された模式的断面図である。
【図２】図２は、図１のゴルフボールが示された拡大正面図である。
【図３】図３は、図１のゴルフボールの一部が示された拡大断面図である。
【図４】図４は、図３のゴルフボールがさらに拡大された断面図である。
【図５】図５は、本発明の他の実施形態に係るゴルフボールの一部が示された断面図である。
【図６】図６は、図５のゴルフボールがさらに拡大された断面図である。
【図７】図７は、本発明のさらに他の実施形態に係るゴルフボールの一部が示された断面図である。
【図８】図８は、図７のゴルフボールがさらに拡大された断面図である。
【符号の説明】
【００５８】
２、１８、２８・・・ゴルフボール
４・・・コア
６・・・カバー
８、２０、３０・・・ディンプル
１０、２７、４０・・・ランド
１２・・・仮想球
１４・・・側壁
１６、２６、３８・・・湾曲面
２２、３２・・・第一側面
２４、３４・・・第二側面
３６・・・第三側面
Ａ・・・ディンプルＡ
Ｂ・・・ディンプルＢ
【図１】
2005152290.tif 000006
【図２】
2005152290.tif 000007
【図３】
2005152290.tif 000008
【図４】
2005152290.tif 000009
【図５】
2005152290.tif 000010
【図６】
2005152290.tif 000011
【図７】
2005152290.tif 000012
【図８】
2005152290.tif 000013